(57)【要約】【課題】特別な機構を追加することなく、回動待機位置にあるクランプアームの回動や振動を抑止することができるディスク装置を得ることを目的とする。【解決手段】ディスク１の再生位置にあるときはクランプアーム１５がディスク１をクランプする一方、回動待機位置に戻る際にはクランプアーム１５がスライドベース１３上を回動すると同時に、そのスライドベース１３がスライドすることにより、そのクランプアーム１５の係合爪１６が固定ベース１１の係合溝１２と係合するように構成した。【選択図】        図２
2004272977.tif 000002
【特許請求の範囲】
【請求項１】
固定ベースに対してスライド自在に載置されたスライドベースと、上記スライドベースに対して回動自在に載置され、ディスクを搭載するターンテーブルを載置している再生ベースと、上記スライドベースに対して回動自在に載置され、上記ディスクの再生位置にあるときは上記ディスクをクランプするクランプアームと、回動待機位置に戻る際には上記スライドベース上を回動しながら、上記スライドベースがスライドすることにより、上記固定ベースの係合溝と係合するように、上記再生ベースと上記クランプアームのいずれか一方または双方に設けた係合爪とを備えたディスク装置。
【請求項２】
クランプアームは、スライドベース上でスライド及び回動自在な回動ベースを介して上記スライドベースに載置されていることを特徴とする請求項１記載のディスク装置。
【発明の詳細な説明】
【０００１】
【発明の属する技術分野】
この発明は、回動待機位置にあるときに振動や衝撃を受けても、クランプアームの回動や振動を抑止することができるディスク装置に関するものである。
【０００２】
【従来の技術】
下記の特許文献１に開示されている従来のディスク装置は、ディスクの再生手段が再生位置にあるときには、支持ベースの回動端側に係合し、退避位置にあるときには、支持ベースに対する係合を解除するロック手段を備えている。
このようなロック手段を備えているため、ディスクの再生手段が再生位置にあるときには、支持ベースに係合されているアームの上下方向の移動を抑止することができる。
【０００３】
しかし、ロック手段によるロックが不完全である場合、支持ベースの回動方向に振動や衝撃等が作用すると、支持ベースに係合されているアームに振動や衝撃等が作用することがある。
そこで、ロック手段によるロックを補助するため、支持ベースがロック手段と係合したのち、支持ベースに係合するロックアームと、そのロックアームを駆動する駆動手段とを設けるようにしている。
【０００４】
【特許文献１】
特開平１１−３５３７６９号公報（段落番号［００４３］から［００４５］、図１１）
【０００５】
【発明が解決しようとする課題】
従来のディスク装置は以上のように構成されているので、支持ベースに係合されているアームの振動を抑止するには、ロック手段の他に、支持ベースに係合するロックアームや、そのロックアームを駆動する駆動手段を設ける必要があり、装置構成が複雑になるなどの課題があった。
【０００６】
この発明は上記のような課題を解決するためになされたもので、特別な機構を追加することなく、回動待機位置にあるクランプアームの回動や振動を抑止することができるディスク装置を得ることを目的とする。
【０００７】
【課題を解決するための手段】
この発明に係るディスク装置は、回動待機位置に戻る際にはクランプアームがスライドベース上を回動すると同時に、そのスライドベースがスライドすることにより、固定ベースの係合溝と係合する係合爪を、再生ベースとクランプアームのいずれか一方または双方に設けたものである。
【０００８】
【発明の実施の形態】
以下、この発明の実施の一形態を説明する。
実施の形態１．
図１はこの発明の実施の形態１によるディスク装置の全体構成を示す斜視図であり、図２はこの発明の実施の形態１によるディスク装置の再生部を示す斜視図である。図において、ディスク１はディスク挿入口２から挿入され、再生部３に保持されている。
固定ベース１１はクランプアーム１５の係合爪１６と係合する係合溝１２を有している。スライドベース１３は固定ベース１１に対してスライド自在に載置されており、再生ベース１４はスライドベース１３に対して回動自在に載置され、ディスク１を搭載するターンテーブルを載置している。
クランプアーム１５はスライドベース１３に対して回動自在に載置され、ディスク１の再生位置にあるときはディスク１をクランプする一方、回動待機位置に戻る際にはスライドベース１３上を回動しながら、スライドベース１３がスライドすることにより、固定ベース１１の係合溝１２と係合する係合爪１６を有している。
【０００９】
次に動作について説明する。
最初に、ディスク装置の動作原理を説明する。
クランプアーム１５がディスク１の再生位置（図１７（ａ）を参照）から回動待機位置に戻る場合（図１７（ｃ）を参照）、クランプアーム１５は図１７（ｂ）に示すように右回りに回動する。
しかし、クランプアーム１５による回動動作のみでは、図１７（ｄ）に示すように、クランプアーム１５の係合爪１６を固定ベース１１の係合溝１２と係合することができない。
【００１０】
そこで、クランプアーム１５は所定位置までの回動を完了すると、図１７（ｃ）に示すように左回りの回動を開始し、それと同時にスライドベース１３は右方向に移動する。
これにより、クランプアーム１５の係合爪１６は固定ベース１１の係合溝１２と係合される。
【００１１】
以下、ディスク装置の動作を詳細に説明する。
図３に示すように、再生部３の再生ベース１４がディスク１の再生位置にある場合、再生ベース１４のターンテーブルにはディスク１が載置され、クランプアーム１５がディスク１をクランプしている。ただし、図３ではディスク１の記載を省略している。
次に、図３の状態からスライドベース１３が固定ベース１１上を図中左方向にスライドすると、図４に示すような状態になる。
スライドベース１３が図４の位置までスライドすると、クランプアーム１５が付勢力に抗して上方に押し開かれてディスク１を解放し、図示せぬ把持手段がディスク１を把持する。
【００１２】
クランプアーム１５は、上記のようにディスク１を解放すると、図５に示すように、スライドベース１３上を回動し、ディスク１は、図示せぬ把持手段により再生部３から持ち上げられる。
次に、スライドベース１３が固定ベース１１上を図中右方向にスライドすると、図６に示すように、クランプアーム１５の係合爪１６が固定ベース１１の係合溝１２と係合する。
クランプアーム収納後、再生部３が回動し、図７に示す回動待機位置に移行して、収納状態となる。
【００１３】
以下、クランプアーム１５の係合動作の詳細説明を行う。
図８はスライドベース１３のスライド状態を示す上面図であり、図１６はディスク装置の再生部を示す分解斜視図である。
図において、クランプアーム１５は、スライドベース１３上で回動自在に支持される回動ベース２１上に設けられ、このクランプアーム１５はクランプ動作のため上下方向へ回動自在に回動ベース２１に支持されている。
なお、回動ベース２１は、ピン２１ａがスライドベース１３上に設けられているカムプレート２２のＬ字溝２２ａと係合されることで、スライドベース１３の動きに連動して図中上下方向あるいは左右方向にスライドすることができる。
【００１４】
固定ベース１１には、スライド自在なカムプレート２３と該カムプレートを駆動する回動自在に支持された駆動レバー２４が設けられ、カムプレート２２のピン２２ｂは、カムプレート２３の溝２３ａとスライド自在に係合している。スライドベース１３は、固定ベース１１に設けられたスライド溝１１ａに係合しており、そのスライドベース１３をスライドさせるための回動自在なレバー２５と、そのレバー２５を駆動するスライドプレート２６とが固定ベース１１に設けられている。レバー２５の上面に突出したピン２５ａがスライドベース１３の溝１３ａに係合している。
【００１５】
図８の状態から駆動レバー２４が図９に示す矢印方向に回動すると、図中矢印方向にカムプレート２３がスライドするため、カムプレート２３はカムプレート２２を図中矢印方向に駆動する。
これにより、カムプレート２２と係合している回動ベース２１とクランプアーム１５が図１０の位置まで回動する。
次に、一方、スライドプレート２６の矢印方向へのスライドにより、スライドプレート２６のラック２６ｂとレバー２５のピニオン２５ｂとの噛合によって該レバーが回動すると、スライドベース１３がスライドするが、スライドベース１３がスライドするのと同時に、駆動レバー２４が図中矢印の方向に回動して、図中矢印方向にカムプレート２３をスライドさせるため、カムプレート２２も上記と反対方向にスライドして、クランプアーム１５はスライドベース１３のスライドに同期して、収納方向と反対方向に回動する。
この同期動作により、クランプアーム１５の係合爪１６は、固定ベース１１に対して一定の位置を保つようになる。
その後、スライドベース１３のスライド動作が完了すると、図１１に示すように、クランプアーム１５の係合爪１６が固定ベース１１と係合した状態になり、クランプアーム１５の上下左右方向へのロックが完了する。
【００１６】
ここで、図１２はスライド状態における係合爪１６と係合溝１２の関係を示し、図１３は収納状態における係合爪１６と係合溝１２の関係を示しているが、スライド状態では、固定ベース１１の係合溝１２に対して、係合爪１６が上記の同期動作に伴って係合動作を行う。
収納状態では、係合爪１６が係合溝１２に完全に係合し、係合爪１６が係合溝１２により上下方向が拘束される。また、同時に係合爪１６が固定ベース１１を挟み込むため、係合爪１６の回動動作が拘束される。
【００１７】
最後に、スライド動作と回動動作の同期について説明する。
図１４はスライドベースのスライド状態を示す下面図であり、図１５はクランプアームの収納状態を示す下面図である。
固定ベース１１の下面には、クランプアーム用カムギア３１とスライド用カムギア３２と再生ベース用カムギア３３とが配置されており、クランプアーム用カムギア３１とスライド用カムギア３２が噛み合い、スライド用カムギア３２と再生ベース用カムギア３３が噛み合っている。
【００１８】
図示せぬ駆動手段がクランプアーム用カムギア３１を駆動すると、３つのカムギアは同期して回転する。
クランプアーム用カムギア３１のカム溝３１ａには、駆動レバー２４のピン２４ａが係合しており、カム溝３１ａによる駆動レバー２４の動きを駆動源として、前述のようにクランプアーム１５を回動させる。
スライド用カムギア３２のカム溝３２ａには、スライドプレート２６のピン２６ａが係合しており、カム溝３２ａによるスライドプレート２６の動きを駆動源として、前述のようにレバー２５を回動させることでスライドベース１３をスライドさせる。
再生ベース用カムギア３３の溝３３ａには、再生ベース回動レバーのピン３４ａが係合しており、カム溝３３ａによる再生ベース回動レバーの動きを駆動源として、再生ベース１４を回動させる。
クランプアーム用カムギア３１とスライド用カムギア３２のカム溝３１ａと３２ａにより、クランプアーム１５の回動とスライドベース１３のスライドタイミングを合わせることにより、係合爪１６と係合溝１２の係合を行うことができる。
【００１９】
以上で明らかなように、この実施の形態１によれば、ディスク１の再生位置にあるときはクランプアーム１５がディスク１をクランプする一方、回動待機位置に戻る際にはクランプアーム１５がスライドベース１３上を回動すると同時に、そのスライドベース１３がスライドすることにより、そのクランプアーム１５の係合爪１６が固定ベース１１の係合溝１２と係合するように構成したので、特別な機構を追加することなく、収納状態時におけるクランプアーム１５の回動や振動を抑止することができる効果を奏する。
【００２０】
また、この実施の形態１によれば、スライドベース１３上でスライド及び回動自在な回動ベース２１を介してスライドベース１３にクランプアーム１５を載置するように構成したので、特別な機構を追加することなく、固定ベース１１に対するクランプアーム１５の係合度を高めることができる効果を奏する。
【００２１】
なお、この実施の形態１では、固定ベース１１とクランプアーム１５が係合するものについて示したが、スライドベース１３上でスライド及び回動自在な回動ベースを介してスライドベース１３に再生ベース１４を載置するとともに、その再生ベース１４に係合爪を形成し、その係合爪が固定ベース１１の係合溝と係合するようにしてもよい。
これにより、収納状態時における再生ベース１４の回動や振動を抑止することができる。
【００２２】
【発明の効果】
以上のように、この発明によれば、回動待機位置に戻る際にはクランプアームがスライドベース上を回動すると同時に、そのスライドベースがスライドすることにより、固定ベースの係合溝と係合する係合爪を、再生ベースとクランプアームのいずれか一方または双方に設けるように構成したので、特別な機構を追加することなく、収納状態時におけるクランプアームの回動や振動を抑止することができる効果がある。
【図面の簡単な説明】
【図１】この発明の実施の形態１によるディスク装置の全体構成を示す斜視図である。
【図２】この発明の実施の形態１によるディスク装置の再生部を示す斜視図である。
【図３】再生位置における再生部を示す上面図である。
【図４】スライドベースのスライド状態を示す上面図である。
【図５】クランプアームの回動状態を示す上面図である。
【図６】スライドベースの戻り状態を示す上面図である。
【図７】スライドベースの収納状態を示す上面図である。
【図８】スライドベースのスライド状態を示す上面図である。
【図９】クランプアームの回動状態を示す上面図である。
【図１０】スライドベースのスライド中間状態を示す上面図である。
【図１１】クランプアームの収納状態を示す上面図である。
【図１２】スライドベースのスライド中間状態を示す斜視図である。
【図１３】回動待機位置における再生部を示す斜視図である。
【図１４】スライドベースのスライド状態を示す下面図である。
【図１５】クランプアームの収納状態を示す下面図である。
【図１６】ディスク装置の再生部を示す分解斜視図である。
【図１７】図１のディスク装置の動作原理図である。
【符号の説明】
１  ディスク、２  ディスク挿入口、３  再生部、１１  固定ベース、１１ａスライド溝、１２  係合溝、１３  スライドベース、１４  再生ベース、１５クランプアーム、１６  係合爪、２１  回動ベース、２１ａ  回動ベースのピン、２２  カムプレート、２２ａ  カムプレートの溝、２２ｂ  カムプレートのピン、２３  カムプレート、２３ａ  カムプレートの溝、２４  駆動レバー、２５  レバー、２６  スライドプレート、３１  クランプアーム用カムギア、３２スライド用カムギア、３３  再生ベース用カムギア、３４  再生ベース回動レバー。
【図１】
2004272977.tif 000003
【図２】
2004272977.tif 000004
【図３】
2004272977.tif 000005
【図４】
2004272977.tif 000006
【図５】
2004272977.tif 000007
【図６】
2004272977.tif 000008
【図７】
2004272977.tif 000009
【図８】
2004272977.tif 000010
【図９】
2004272977.tif 000011
【図１０】
2004272977.tif 000012
【図１１】
2004272977.tif 000013
【図１２】
2004272977.tif 000014
【図１３】
2004272977.tif 000015
【図１４】
2004272977.tif 000016
【図１５】
2004272977.tif 000017
【図１６】
2004272977.tif 000018
【図１７】
2004272977.tif 000019